(57)【要約】【課題】偏光サングラスとして使用でき、しかも、他の者に対して画像を表示することができる眼鏡型表示装置を提供する。【解決手段】一方の面側に向けて光を出射する複数の画素２１Ｒ，２１Ｇ，２１Ｂと、前記一方の面側から入射した光を他方の面側に透過させる透過部２２とが隣接させて形成され、前記一方の面側に偏光膜２３が配置された表示パネルを、前記他方の面側を眼鏡装着者側に向けて眼鏡フレームに取り付ける。【選択図】図３
2010217339.tif 000002
【特許請求の範囲】
【請求項１】
一方の面側に向けて光を出射する複数の画素と、前記一方の面側から入射した光を他方の面側に透過させる透過部とが隣接させて形成され、前記一方の面側に偏光膜が配置された表示パネルと、
前記表示パネルを前記他方の面側を眼鏡装着者側に向けて取り付けた眼鏡フレームと、
を備えることを特徴とする眼鏡型表示装置。
【請求項２】
第１と第２の２つの前記表示パネルを備え、前記眼鏡フレームは右眼と左眼用の一対のリムを有し、その一方のリムに前記第１の表示パネルが取り付けられ、他方のリムに前記第２の表示パネルが取り付けられていることを特徴とする請求項１に記載の眼鏡型表示装置。
【請求項３】
前記眼鏡フレームは、前記表示パネルの複数の画素を駆動するための表示駆動手段を備えていることを特徴とする請求項１から２の何れかに記載の眼鏡型表示装置。
【請求項４】
前記表示パネルの前記各画素と前記透過部は、前記各画素の面積と前記透過部の面積との一方が他方よりも大きい面積比、或いは実質的に同じ面積比で形成されていることを特徴とする請求項１から３の何れかに記載の眼鏡型表示装置。
【請求項５】
前記各画素は、所定の間隔で点在させて配置され、これらの画素以外の領域に前記透過部が形成されていることを特徴とする請求項１から４の何れかに記載の眼鏡型表示装置。
【請求項６】
前記表示パネルは、赤を表示するための複数の赤色画素と、緑を表示するための複数の緑色画素と、青を表示するための複数の青色画素とを有していることを特徴とする請求項１から５の何れかに記載の眼鏡型表示装置。
【請求項７】
前記赤、緑、青の各色の画素は、複数行に、各行毎に所定の間隔で、且つ隣り合う２つの行の一方と他方の同色の画素同士を互いに隣り合わせて配置されていることを特徴とする請求項６に記載の眼鏡型表示装置。
【請求項８】
前記赤、緑、青の各色の画素は、複数行に、各行毎に所定の間隔で、且つ隣り合う２つの行の一方と他方の同色の画素の位置を、前記行方向に実質的に１．５ピッチずらして配置されていることを特徴とする請求項６に記載の眼鏡型表示装置。
【請求項９】
前記赤、緑、青の各色の画素は、前記各色１つずつの３つの画素を１単位とする複数の画素群毎に密な間隔で配置され、これらの画素群が、複数行に、各行毎に所定の間隔で配置されていることを特徴とする請求項６に記載の眼鏡型表示装置。
【請求項１０】
前記表示パネルは、液晶層を有し、一方の面側から入射した光を前記液晶層よりも前記他方の面側において反射して前記一方の面から出射する反射表示を行う複数の画素が所定の間隔で点在させて形成され、前記各画素以外の領域に、前記一方の面側から入射した光を前記他方の面側に透過させる透過部が形成され、前記液晶層よりも前記一方の面側に偏光膜が配置された液晶表示パネルであることを特徴とする請求項１から９の何れかに記載の眼鏡型表示装置。
【請求項１１】
前記液晶表示パネルは、前記液晶層を挟んで対向する第１と第２の透明な基板と、これらの基板の互いに向き合う内面の少なくとも一方に設けられ、前記複数の画素を形成する複数の電極と、前記第１と第２の基板のうちの前記他方の面側の基板の内面に前記各画素にそれぞれ対応させて形成された複数の反射膜とを備えることを特徴とする請求項１０に記載の眼鏡型表示装置。
【請求項１２】
前記液晶表示パネルは、前記各反射膜よりも前記他方の面側に前記各画素にそれぞれ対応させて設けられた低反射膜をさらに備えることを特徴とする請求項１１に記載の眼鏡型表示装置。
【請求項１３】
前記液晶表示パネルは、前記第１の基板の内面に、行方向に沿う複数の透明な走査電極が設けられ、前記第２の基板の内面に、列方向に沿う複数の透明な信号電極が設けられ、前記各走査電極と前記各信号電極とが互いに対向する領域により前記複数の画素が形成された単純マトリックス型液晶表示パネルであり、前記反射膜は、前記第１と第２の基板のうちの前記他方の面側の基板とこの基板に設けられた前記電極との間に、前記各画素にそれぞれ対応させて設けられていることを特徴とする請求項１２に記載の眼鏡型表示装置。
【請求項１４】
前記液晶表示パネルは、前記各画素毎に設けられた赤、緑、青の３色のカラーフィルタを備えていることを特徴とする請求項１０から１３の何れかに記載の眼鏡型表示装置。
【請求項１５】
前記３色のカラーフィルタは、前記画素の外形と実質的に同じ形状に形成されていることを特徴とする請求項１４に記載の眼鏡型表示装置。
【請求項１６】
前記３色のカラーフィルタは、前記画素の外形よりも小さい形状に形成されていることを特徴とする請求項１４に記載の眼鏡型表示装置。
【請求項１７】
前記３色のカラーフィルタのうちの１色のカラーフィルタは、その少なくとも一部が前記透過部に張り出した形状に形成され、他の２色のカラーフィルタは、前記画素内に対応する形状に形成されていることを特徴とする請求項１４に記載の眼鏡型表示装置。
【請求項１８】
前記３色のカラーフィルタのうちの２色のカラーフィルタは、その少なくとも一部が前記透過部に張り出した形状に形成され、他の１色のカラーフィルタは、前記画素内に対応する形状に形成されていることを特徴とする請求項１４に記載の眼鏡型表示装置。
【請求項１９】
前記表示パネルは、画像を表示する一方の面側に偏光膜を備えたエレクトロルミネッセンス表示パネルであることを特徴とする請求項１から９の何れかに記載の眼鏡型表示装置。
【発明の詳細な説明】
【技術分野】
【０００１】
この発明は、偏光サングラス機能をもった眼鏡型表示装置に関する。
【背景技術】
【０００２】
従来、偏光サングラスとしては、眼鏡フレームに偏光レンズを取り付けたものがあるが、ファッション性に乏しかった。（特許文献１、２参照）
【先行技術文献】
【特許文献】
【０００３】
【特許文献１】実公平６−３３４４７号公報
【特許文献２】特表平８−５０３７９３号公報
【発明の概要】
【発明が解決しようとする課題】
【０００４】
この発明は、このような従来の技術の課題を解決するものであり、偏光サングラスとして使用でき、しかも、他の者に対して画像を表示することができる眼鏡型表示装置を提供することを目的としたものである。
【課題を解決するための手段】
【０００５】
この発明の請求項１に記載の眼鏡型表示装置は、
一方の面側に向けて光を出射する複数の画素と、前記一方の面側から入射した光を他方の面側に透過させる透過部とが隣接させて形成され、前記一方の面側に偏光膜が配置された表示パネルと、
前記表示パネルを前記他方の面側を眼鏡装着者側に向けて取り付けた眼鏡フレームと、
を備えることを特徴とする。
【０００６】
請求項２に記載の発明は、前記請求項１に記載の眼鏡型表示装置において、第１と第２の２つの前記表示パネルを備え、前記眼鏡フレームは右眼と左眼用の一対のリムを有し、その一方のリムに前記第１の表示パネルが取り付けられ、他方のリムに前記第２の表示パネルが取り付けられていることを特徴とする。
【０００７】
請求項３に記載の発明は、前記請求項１から２の何れかに記載の眼鏡型表示装置において、前記眼鏡フレームは、前記表示パネルの複数の画素を駆動するための表示駆動手段を備えていることを特徴とする。
【０００８】
請求項４に記載の発明は、前記請求項１から３の何れかに記載の眼鏡型表示装置において、前記表示パネルの前記各画素と前記透過部は、前記各画素の面積と前記透過部の面積との一方が他方よりも大きい面積比、或いは実質的に同じ面積比で形成されていることを特徴とする。
【０００９】
請求項５に記載の発明は、前記請求項１から４の何れかに記載の眼鏡型表示装置において、前記各画素は、所定の間隔で点在させて配置され、これらの画素以外の領域に前記透過部が形成されていることを特徴とする。
【００１０】
請求項６に記載の発明は、前記請求項１から５の何れかに記載の眼鏡型表示装置において、前記表示パネルは、赤を表示するための複数の赤色画素と、緑を表示するための複数の緑色画素と、青を表示するための複数の青色画素とを有していることを特徴とする。
【００１１】
請求項７に記載の発明は、前記請求項６に記載の眼鏡型表示装置において、前記赤、緑、青の各色の画素は、複数行に、各行毎に所定の間隔で、且つ隣り合う２つの行の一方と他方の同色の画素同士を互いに隣り合わせて配置されていることを特徴とする。
【００１２】
請求項８に記載の発明は、前記請求項６に記載の眼鏡型表示装置において、前記赤、緑、青の各色の画素は、複数行に、各行毎に所定の間隔で、且つ隣り合う２つの行の一方と他方の同色の画素の位置を、前記行方向に実質的に１．５ピッチずらして配置されていることを特徴とする。
【００１３】
請求項９に記載の発明は、前記請求項６に記載の眼鏡型表示装置において、前記赤、緑、青の各色の画素は、前記各色１つずつの３つの画素を１単位とする複数の画素群毎に密な間隔で配置され、これらの画素群が、複数行に、各行毎に所定の間隔で配置されていることを特徴とする。
【００１４】
請求項１０に記載の発明は、前記請求項６に記載の眼鏡型表示装置において、前記表示パネルは、液晶層を有し、一方の面側から入射した光を前記液晶層よりも前記他方の面側において反射して前記一方の面から出射する反射表示を行う複数の画素が所定の間隔で点在させて形成され、前記各画素以外の領域に、前記一方の面側から入射した光を前記他方の面側に透過させる透過部が形成され、前記液晶層よりも前記一方の面側に偏光膜が配置された液晶表示パネルであることを特徴とする。
【００１５】
請求項１１に記載の発明は、前記請求項１０に記載の眼鏡型表示装置において、前記液晶表示パネルは、前記液晶層を挟んで対向する第１と第２の透明な基板と、これらの基板の互いに向き合う内面の少なくとも一方に設けられ、前記複数の画素を形成する複数の電極と、前記第１と第２の基板のうちの前記他方の面側の基板の内面に前記各画素にそれぞれ対応させて形成された複数の反射膜とを備えることを特徴とする。
【００１６】
請求項１２に記載の発明は、前記請求項１１に記載の眼鏡型表示装置において、前記液晶表示パネルは、前記各反射膜よりも前記他方の面側に前記各画素にそれぞれ対応させて設けられた低反射膜をさらに備えることを特徴とする。
【００１７】
請求項１３に記載の発明は、前記請求項１２に記載の眼鏡型表示装置において、前記液晶表示パネルは、前記第１の基板の内面に、行方向に沿う複数の透明な走査電極が設けられ、前記第２の基板の内面に、列方向に沿う複数の透明な信号電極が設けられ、前記各走査電極と前記各信号電極とが互いに対向する領域により前記複数の画素が形成された単純マトリックス型液晶表示パネルであり、前記反射膜は、前記第１と第２の基板のうちの前記他方の面側の基板とこの基板に設けられた前記電極との間に、前記各画素にそれぞれ対応させて設けられていることを特徴とする。
【００１８】
請求項１４に記載の発明は、前記請求項１０から１３の何れかに記載の眼鏡型表示装置において、前記液晶表示パネルは、前記各画素毎に設けられた赤、緑、青の３色のカラーフィルタを備えていることを特徴とする。
【００１９】
請求項１５に記載の発明は、前記請求項１４に記載の眼鏡型表示装置において、前記３色のカラーフィルタは、前記画素の外形と実質的に同じ形状に形成されていることを特徴とする。
【００２０】
請求項１６に記載の発明は、前記請求項１４に記載の眼鏡型表示装置において、前記３色のカラーフィルタは、前記画素の外形よりも小さい形状に形成されていることを特徴とする。
【００２１】
請求項１７に記載の発明は、前記請求項１４に記載の眼鏡型表示装置において、前記３色のカラーフィルタのうちの１色のカラーフィルタは、その少なくとも一部が前記透過部に張り出した形状に形成され、他の２色のカラーフィルタは、前記画素内に対応する形状に形成されていることを特徴とする。
【００２２】
請求項１８に記載の発明は、前記請求項１４に記載の眼鏡型表示装置において、前記３色のカラーフィルタのうちの２色のカラーフィルタは、その少なくとも一部が前記透過部に張り出した形状に形成され、他の１色のカラーフィルタは、前記画素内に対応する形状に形成されていることを特徴とする。
【００２３】
請求項１９に記載の発明は、前記請求項１から９の何れかに記載の眼鏡型表示装置において、前記表示パネルは、画像を表示する一方の面側に偏光膜を備えたエレクトロルミネッセンス表示パネルであることを特徴とする。
【発明の効果】
【００２４】
この発明の眼鏡型表示装置は、偏光サングラスとして使用でき、しかも、他の者に対して画像を表示することができる。
【図面の簡単な説明】
【００２５】
【図１】この発明の眼鏡型表示装置の一実施例を示す斜視図。
【図２】この発明の眼鏡型表示装置を構成する表示パネルの第１実施例を示す一部分の正面図。
【図３】第１実施例の表示パネルの一部分の断面図。
【図４】図３の一部分の拡大図。
【図５】前記表示パネルの画素配置例を示す図。
【図６】前記表示パネルの他の画素配置例を示す図。
【図７】前記表示パネルの他の画素配置例を示す図。
【図８】この発明の眼鏡型表示装置を構成する表示パネルの第２実施例を示す各色の画素とカラーフィルタの模式図。
【図９】この発明の眼鏡型表示装置を構成する表示パネルの第３実施例を示す各色の画素とカラーフィルタの模式図。
【図１０】この発明の眼鏡型表示装置を構成する表示パネルの第４実施例を示す各色の画素とカラーフィルタの模式図。
【図１１】この発明の眼鏡型表示装置を構成する表示パネルの第５実施例を示す各色の画素とカラーフィルタの模式図。
【図１２】この発明の眼鏡型表示装置を構成する表示パネルの第６実施例を示す各色の画素とカラーフィルタの模式図。
【図１３】この発明の眼鏡型表示装置を構成する表示パネルの第７実施例を示す一部分の拡大断面図。
【発明を実施するための形態】
【００２６】
以下、この発明の実施の形態について、詳細に説明する。
【実施例１】
【００２７】
図１に示した眼鏡型表示装置１は、第１と第２の２つの表示パネル１０ａ，１０ｂと、右眼と左眼用の一対のリム３ａ，３ｂを有し、その一方のリム、例えば右眼用リム３ａに前記第１の表示パネル１０ａを取り付け、他方のリム、例えば左眼用リム３ｂに前記第２の表示パネル１０ｂを取り付けた眼鏡フレーム２とを備えている。
【００２８】
前記眼鏡フレーム２は、前記一対のリム３ａ，３ｂと、これらのリム３ａ，３ｂをつなぐブリッジ４、前記右眼用リム３ａと左眼用リム３ｂの外側縁にそれぞれ設けられた一対のテンプル５ａ，５ｂとからなっている。
【００２９】
また、前記眼鏡フレーム２の右眼用リム３ａに取り付けられた第１の表示パネル１０ａは、右眼用の眼鏡レンズの外形に対応した形状に形成され、左眼用リム３ｂに取り付けられた第２の表示パネル１０ｂは、右眼用の眼鏡レンズの外形に対応した形状に形成されている。
【００３０】
前記第１と第２の表示パネル１０ａ，１０ｂはそれぞれ、図２〜図４に示したように、一方の面側（図３及び図４において上面側）に向けて光を出射する複数の画素２１Ｒ，２１Ｇ，２１Ｂと、前記一方の面側から入射した光を他方の面側（図３及び図４において下面側）に透過させる透過部２２とが隣接させて形成され、前記一方の面側に偏光膜２３が配置されたものである。
【００３１】
前記第１と第２の表示パネル１０ａ，１０ｂは、液晶層２０を有し、一方の面側から入射した光を前記液晶層２０よりも前記他方の面側において反射して前記一方の面から出射する反射表示を行う複数の画素２１Ｒ，２１Ｇ，２１Ｂが所定の間隔で点在させて形成され、前記各画素２１Ｒ，２１Ｇ，２１Ｂ以外の領域に、前記一方の面側から入射した光を前記他方の面側に透過させる透過部２２が形成され、前記液晶層２０よりも前記一方の面側に偏光膜２３が配置された液晶表示パネルからなっている。以下、これらの表示パネル１０ａ，１０ｂを液晶表示パネルという。
【００３２】
前記第１と第２の液晶表示パネル１０ａ，１０ｂはそれぞれ、前記液晶層２０を挟んで対向する第１と第２の透明な基板１１，１２と、これらの基板１１，１２の互いに向き合う内面の少なくとも一方に設けられ、前記複数の画素２１Ｒ，２１Ｇ，２１Ｂを形成する複数の電極１３，１４と、前記第１と第２の基板１１，１２のうちの前記他方の面側の基板（この実施例では第１の基板）１１の内面に前記各画素２１Ｒ，２１Ｇ，２１Ｂにそれぞれ対応させて形成された複数の反射膜１５とを備えている。
【００３３】
なお、前記第１と第２の基板１１，１２は、薄板ガラス、プラスチック板、またはフィルムからなっており、これらの基板１１，１２の間に予め定めた間隙を設けて対向配置され、基板１１，１２間にその周縁部に対応させて設けられた図示しない枠状のシール材によって接合されている。そして、前記液晶層２０は、前記第１と第２の基板１１，１２間の前記シール材で囲まれた間隙に封入されている。
【００３４】
この実施例において、前記液晶表示パネル１０ａ，１０ｂはそれぞれ、前記第１の基板１１の内面に、行方向に沿う複数の透明な走査電極１３が互いに平行に設けられ、前記第２の基板１２の内面に、列方向に沿う複数の透明な信号電極１４が互いに平行に設けられ、前記各走査電極１３と前記各信号電極１４とが互いに対向する領域により前記複数の画素２１Ｒ，２１Ｇ，２１Ｂが形成された単純マトリックス型液晶表示パネルであり、前記反射膜１５は、前記他方の面側の基板１１とこの基板１１に設けられた前記電極１３との間に、前記各画素２１Ｒ，２１Ｇ，２１Ｂにそれぞれ対応させて設けられている。
【００３５】
また、前記液晶表示パネル１０ａ，１０ｂはそれぞれ、前記各画素２１Ｒ，２１Ｇ，２１Ｂ毎に設けられた赤、緑、青の３色のカラーフィルタ１７Ｒ，１７Ｇ，１７Ｂを備えている。すなわち、前記液晶表示パネル１０ａ，１０ｂはそれぞれ、赤を表示するための複数の赤色画素（赤色フィルタ１７Ｒを備えた画素）２１Ｒと、緑を表示するための複数の緑色画素（緑色フィルタ１７Ｇを備えた画素）２１Ｇと、青を表示するための複数の青色画素（青色フィルタ１７Ｂを備えた画素）２１Ｂとを有している。
【００３６】
この実施例において、前記赤、緑、青の３色のカラーフィルタ１７Ｒ，１７Ｇ，１７Ｂはそれぞれ、前記各画素２１Ｒ，２１Ｇ，２１Ｂの外形と実質的に同じ形状に形成されている。
【００３７】
なお、前記赤、緑、青の３色のカラーフィルタ１７Ｒ，１７Ｇ，１７Ｂは、前記一方の面側の基板である第２の基板１２の内面に設けられており、前記複数の信号電極１４は、前記カラーフィルタ１７Ｒ，１７Ｇ，１７Ｂの上に形成されている。
【００３８】
さらに、前記第１と第２の基板１１，１２の内面にはそれぞれ、前記複数の走査電極１３及び複数の信号電極１４を覆って水平配向膜１８，１９が形成されており、これらの配向膜１８，１９の膜面を予め方向にラビングすることにより配向処理されている。
【００３９】
そして、前記液晶層２０の液晶分子は、前記配向膜１８，１９により第１基板１１及び第２の基板１２の近傍における配向方向を規定され、これらの基板１１，１２間において所定の配向状態に配向している。
【００４０】
前記第１と第２の液晶表示パネル１０ａ，１０ｂはそれぞれ、例えば前記液晶層２０の液晶分子を第１と第２の基板１１，１２間において実質的に９０°の捩れ角でツイスト配向させたＴＮ型液晶表示パネルであり、前記偏光膜２３は、前記各画素２１Ｒ，２１Ｇ，２０の無電界時の表示が明表示であるノーマリーホワイト型、または前記各画素２１Ｒ，２１Ｇ，２０の無電界時の表示が暗表示であるノーマリーブラック型の液晶表示パネルを構成するように、その吸収軸を予め定めた方向に向けて、前記一方の面側の基板、つまり第２の基板１２の外面に貼り付けられている。なお、この偏光膜２３は、前記液晶層２０よりも前記一方の面側であれば、前記第２の基板１２の内面（第２の基板１２とカラーフィルタ１７Ｒ，１７Ｇ，１７Ｂとの間）に配置してもよい。
【００４１】
また、前記第１と第２の液晶表示パネル１０ａ，１０ｂの前記眼鏡フレーム２の一対のテンプル５ａ，５ｂに取り付けられる縁部には、前記複数の走査電極１３及び複数の信号電極１４に駆動信号を印加するための複数の走査電極端子及び信号電極端子（いずれも図示せず）が設けられている。
【００４２】
この実施例の第１と第２の液晶表示パネル１０ａ，１０ｂは、複数の走査電極１３と複数の信号電極１４とをそれぞれ隣り合う線毎に間隔を設けて形成したものであり、前記赤、緑、青の各色の画素２１Ｒ，２１Ｇ，２１Ｂは、図２及び図５のように、複数行に、各行毎に前記所定の間隔で、且つ隣り合う２つの行の一方と他方の同色の画素同士を互いに隣り合わせて配置されている。
【００４３】
なお、前記赤、緑、青の各色の画素２１Ｒ，２１Ｇ，２１Ｂは、上記配置に限らず、例えば図６のように、複数行に、各行毎に所定の間隔で、且つ隣り合う２つの行の一方と他方の同色の画素の位置を、前記行方向に実質的に１．５ピッチずらして配置してもよく、その場合は、前記複数の信号電極１４を、前記複数の走査電極１３と交差する部分毎に前記行方向に実質的に１．５ピッチずらした屈曲形状に形成すればよい。
【００４４】
さらに、前記赤、緑、青の各色の画素２１Ｒ，２１Ｇ，２１Ｂは、図７のように、前記各色１つずつの３つの画素２１Ｒ，２１Ｇ，２１Ｂを１単位とする複数の画素群毎に密な間隔で配置し、これらの画素群を、複数行に、各行毎に所定の間隔で配置してもよい。
【００４５】
また、前記第１と第２の液晶表示パネル１０ａ，１０ｂの赤、緑、青の各色の画素２１Ｒ，２１Ｇ，２１Ｂと透過部２２は、前記各色の画素２１Ｒ，２１Ｇ，２１Ｂの面積と前記透過部２２の面積との一方が他方よりも大きい面積比、或いは実質的に同じ面積比で形成されている。
【００４６】
この実施例では、前記各色の画素２１Ｒ，２１Ｇ，２１Ｂをそれぞれ一辺の長さが１００〜２００μｍの正方形状または長方形状に形成し、これらの画素２１Ｒ，２１Ｇ，２１Ｂを１５０〜５００μｍの間隔で配置することにより、前記各画素２１Ｒ，２１Ｇ，２１Ｂ以外の領域からなる前記透過部２２の総面積を、前記各画素２１Ｒ，２１Ｇ，２１Ｂの総面積の１．５〜２．５倍程に設定している。
【００４７】
前記第１と第２の液晶表示パネル１０ａ，１０ｂはそれぞれ、前記赤、緑、青の各色の画素２１Ｒ，２１Ｇ，２１Ｂにより、前記一方の面側から入射した光（外部の光）を、前記反射膜１５により反射して前記一方の面側に出射する反射表示を行うものであり、前記一方の面側から入射し、前記偏光膜２３により直線偏光された光Ａのうちの、前記各画素２１Ｒ，２１Ｇ，２１Ｂに入射し、前記液晶層２０を透過した光を、図４に矢線で示したように前記他方の面側において前記反射膜１５により反射し、前記液晶層２０を再び透過し、さらに前記偏光膜２３を透過した光（偏光膜２３の吸収軸に対して直交する偏光成分）を前記一方の面側に出射する。
【００４８】
これらの液晶表示パネル１０ａ，１０ｂの各画素２１Ｒ，２１Ｇ，２１Ｂは、前記各走査電極１３に順次走査信号を印加し、それに同期して前記各信号電極１４に画像デーテに対応したデータ信号を印加することにより表示駆動される。
【００４９】
すなわち、前記液晶表示パネル１０ａ，１０ｂはそれぞれ、前記各画素２１Ｒ，２１Ｇ，２１Ｂからの光の出射を、前記電極１３，１４間への電圧の印加により液晶分子の配向状態を変化させることによって制御され、前記画像データに対応した画像２５，２６（図１参照）を表示する。
【００５０】
また、前記液晶表示パネル１０ａ，１０ｂはそれぞれ、前記一方の面側から入射し、前記偏光膜２３により直線偏光された光のうちの、前記各画素２１Ｒ，２１Ｇ，２１Ｂ以外の透過部２２に入射し、前記液晶層２０を透過した光Ａを、図４に矢線で示したように前記他方の面側に透過させる。
【００５１】
そして、前記第１と第２の液晶表示パネル１０ａ，１０ｂはそれぞれ、前記他方の面側、つまり前記各画素２１Ｒ，２１Ｇ，２１Ｂの光の出射側とは反対側を眼鏡装着者側に向けて前記眼鏡フレーム２に取り付けられている。なお、前記第１と第２の基板１１，１２にプラスチック板またはフィルムを用いた液晶表示パネル１０ａ，１０ｂは、眼鏡レンズのように湾曲させて前記眼鏡フレーム２に装着することも可能である。
【００５２】
さらに、前記眼鏡フレーム２は、前記第１と第２の液晶表示パネル１０ａ，１０ｂの複数の画素２１Ｒ，２１Ｇ，２１Ｂを駆動するための表示駆動手段２４を備えている。この表示駆動手段２４は、その構成は図示しないが、電源部及び電源スイッチと、前記第１の液晶表示パネル１０ａに表示させる第１の画像データと前記第２の液晶表示パネル１０ｂに表示させる第２の画像データとを記憶するメモリ部と、前記メモリ部に外部から前記第１と第２の画像データを書き込むためのデータ書込み部と、前記電源スイッチのオンにより動作し、前記第１の液晶表示パネル１０ａに対して、前記走査信号と、前記メモリ部に記憶された第１の画像データに対応したデータ信号とを出力し、前記第２の液晶表示パネル１０ｂに対して、前記走査信号と、前記メモリ部に記憶された第２の画像データに対応したデータ信号とを出力する第１と第２の表示駆動回路とにより構成されている。
【００５３】
前記表示駆動手段２４は、前記眼鏡フレーム２の一対のテンプル５ａ，５ｂの一方、例えば左眼側テンプル５ｂに内蔵されており、前記眼鏡フレーム２の右眼用リム３ａに取り付けられた第１の表示パネル１０ａの各走査電極端子及び各信号電極端子と、左眼用リム３ｂに取り付けられた第２の表示パネル１０ａの各走査電極端子及び各信号電極端子とに、前記眼鏡フレーム２のリム３ａ，３ｂ及びブリッジ４に内蔵させて設けられた信号伝達手段を介して接続されている。
【００５４】
なお、この実施例では、前記第１と第２の表示パネル１０ａ，１０ｂの各画素２１Ｒ，２１Ｇ，２１Ｂを１つの駆動手段２４によって駆動するようにしているが、前記第１の表示パネル１０ａの各画素２１Ｒ，２１Ｇ，２１Ｂを駆動するための第１の駆動手段と、前記第２の表示パネル１０ｂの各画素２１Ｒ，２１Ｇ，２１Ｂを駆動するための第２の駆動手段とを備え、これらの２つの駆動手段を、前記眼鏡フレーム２の右眼側テンプル５ａと左眼側テンプル５ｂとに設けてもよい。
【００５５】
前記眼鏡型表示装置１は、一方の面側に向けて光を出射する複数の画素２１Ｒ，２１Ｇ，２１Ｂと、前記一方の面側から入射した光を他方の面側に透過させる透過部２２とが隣接させて形成され、前記一方の面側に偏光膜２３が配置された第１と第２の液晶表示パネル１０ａ，１０ｂを、前記他方の面側を眼鏡装着者側に向けて前記眼鏡フレーム２に取り付けたものであるため、この眼鏡型表示装置１の装着者は、外景を、前記液晶表示パネル１０ａ，１０ｂの透過部２２を透して、偏光サングラスを使用したときと同様に、眩しさを感じることなく見ることができる。
【００５６】
また、この眼鏡型表示装置１は、前記第１と第２の液晶表示パネル１０ａ，１０ｂがそれぞれ、前記赤、緑、青の各色の画素２１Ｒ，２１Ｇ，２１Ｂにより前記一方の面側に画像を表示するため、眼鏡装着者側以外の者には、前記液晶表示パネル１０ａ，１０ｂに表示された画像２５，２６が見える。
【００５７】
前記第１と第２の液晶表示パネル１０ａ，１０ｂに表示させる画像２５，２６は、動画像でも静止画像でもよく、また、第１の液晶表示パネル１０ａに表示させる第１の画像２５と、第２の液晶表示パネル１０ｂに表示させる第２の画像２６は、図１のような関連した画像でも、関連性の無い画像でもよい。
【００５８】
このように、前記眼鏡型表示装置１は、偏光サングラスとして使用でき、しかも、他の者に対して画像を表示することができる。そのため、この眼鏡型表示装置１は、キャラクタや広告等の表示によるファッション性やコマーシャル性をもっている。
【００５９】
この眼鏡型表示装置１において、前記第１と第２の液晶表示パネル１０ａ，１０ｂの各画素２１Ｒ，２１Ｇ，２１Ｂと透過部２２との面積比は、偏光サングラスとしての視野が充分で、しかも良好な画質の画像を表示できる範囲で、前記視野と画質の重視度に対応して設定すればよい。
【００６０】
すなわち、偏光サングラスとしての視野を重視する場合は、前記透過部２２の総面積を前記各画素２１Ｒ，２１Ｇ，２１Ｂの総面積よりも大きし、表示画像の画質を重視する場合は、前記各画素２１Ｒ，２１Ｇ，２１Ｂの総面積を前記透過部２２の総面積よりも大きし、偏光サングラスとしての視野と表示画像の画質とをバランスさせる場合は、前記各画素２１Ｒ，２１Ｇ，２１Ｂと前記透過部２２との面積比を実質的に同じにすればよい。
【００６１】
例えば偏光サングラスとしての視野を重視する場合は、上記のように、一辺の長さが１００〜２００μｍの平方形状または長方形状に形成された各画素２１Ｒ，２１Ｇ，２１Ｂを、１５０〜５００μｍの間隔で配置することにより、前記各画素２１Ｒ，２１Ｇ，２１Ｂ以外の領域からなる前記透過部２２の総面積を、前記各画素２１Ｒ，２１Ｇ，２１Ｂの総面積の１．５〜２．５倍程に設定するのが好ましく、この範囲の面積比であれば、偏光サングラスとしての視野を充分に確保し、しかも充分な画質の画像を表示することができる。
【実施例２】
【００６２】
なお、上記第１の実施例では、前記第１と第２の液晶表示パネル１０ａ，１０ｂの赤、緑、青の３色のカラーフィルタ１７Ｒ，１７Ｇ，１７Ｂをそれぞれ、前記各画素２１Ｒ，２１Ｇ，２１Ｂの外形と実質的に同じ形状に形成しているが、前記各色のカラーフィルタ１７Ｒ，１７Ｇ，１７Ｂは、図８に示した第２の実施例のように、前記各画素２１Ｒ，２１Ｇ，２１Ｂの外形よりも小さい形状に形成してもよい。
【００６３】
この実施例において、各色のカラーフィルタ１７Ｒ，１７Ｇ，１７Ｂは、各画素２１Ｒ，２１Ｇ，２１Ｂの外形と相似な正方形状または長方形状に形成されており、前記各画素２１Ｒ，２１Ｇ，２１Ｂの周縁部以外の部分に対応させて配置されている。
【００６４】
この実施例によれば、第１と第２の液晶表示パネル１０ａ，１０ｂの各画素２１Ｒ，２１Ｇ，２１Ｂの前記カラーフィルタ１７Ｒ，１７Ｇ，１７Ｂが配置された中央部から赤、緑，青の各色の着色光が出射し、前記各画素２１Ｒ，２１Ｇ，２１Ｂの周縁部から前記カラーフィルタ１７Ｒ，１７Ｇ，１７Ｂによる吸収を受けない高輝度の非着色光（白色光）が出射するため、各画素２１Ｒ，２１Ｇ，２１Ｂから出射する各色の着色光の輝度を前記非着色光により底上げし、明るい画像を表示することができる。
【実施例３】
【００６５】
図９に示した第３の実施例は、前記第１と第２の液晶表示パネル１０ａ，１０ｂの赤、緑、青の３色のカラーフィルタ１７Ｒ，１７Ｇ，１７Ｂのうちの１色のカラーフィルタ、例えば青色フィルタ１７Ｂを、その少なくとも一部が前記透過部２２に張り出した形状に形成し、他の２色のカラーフィルタ、例えば赤色フィルタ１７Ｒと緑色フィルタ１７Ｇとを、前記画素２１Ｒ，２１Ｇ内に対応する形状（画素の外形と実質的に同じ形状または前記画素の外形よりも小さい形状）に形成したものである。
【００６６】
この実施例において、前記青色フィルタ１７Ｂは、その周縁部のうちの１つの縁部を前記透過部２２に張り出させた形状に形成されており、また、前記赤色フィルタ１７Ｒ及び緑色フィルタ１７Ｇと、前記青色フィルタ１７Ｂの張り出以外の部分は、前記各画素２１Ｒ，２１Ｇ，２１Ｂの外形よりも小さい形状に形成されている。
【００６７】
この実施例によれば、前記液晶表示パネル１０ａ，１０ｂの透過部２２を透過した光のうちの前記青色フィルタ１７Ｂの張り出し部を透過した光が青色に着色するため、例えば自動車のヘッドライトに対する防眩効果が高い、青色系の偏光サングラスとして使用することができる。
【実施例４】
【００６８】
上記第３の実施例では、前記青色フィルタ１７Ｂを、その１つの縁部を前記透過部２２に張り出させた形状に形成しているが、この青色フィルタ１７Ｂは、その少なくとも一部が透過部２２に張り出した形状であれば、例えば図１０に示した第４の実施例のように、周縁部をその全周にわたって前記透過部２２に張り出させた形状に形成してもよい。
【００６９】
なお、上記第３及び第４の実施例において、前記赤色フィルタ１７Ｒ及び緑色フィルタ１７Ｇと、前記青色フィルタ１７Ｂの張り出以外の部分は、前記各画素２１Ｒ，２１Ｇ，２１Ｂの外形と実質的に同じ形状に形成してもよい。また、前記透過部２２に張り出させるカラーフィルタは、前記青色フィルタ１７Ｂに限らず、赤色フィルタ１７Ｒでも、緑色フィルタ１７Ｇでもよい。
【実施例５】
【００７０】
図１１に示した第５の実施例は、前記第１と第２の液晶表示パネル１０ａ，１０ｂの赤、緑、青の３色のカラーフィルタ１７Ｒ，１７Ｇ，１７Ｂのうちの２色のカラーフィルタ、例えば赤色フィルタ１７Ｒと緑色フィルタ１７Ｇとを、その少なくとも一部が前記透過部２２に張り出した形状に形成し、他の２色のカラーフィルタ、例えば青色フィルタ１７Ｂを、前記画素２１Ｂ内に対応する形状（画素の外形と実質的に同じ形状または前記画素の外形よりも小さい形状）に形成したものである。
【００７１】
この実施例において、前記赤色フィルタ１７Ｒと緑色フィルタ１７Ｇはそれぞれ、その周縁部のうちの１つの縁部を前記透過部２２に張り出させた形状に形成されており、また、前記赤色フィルタ１７Ｒ及び緑色フィルタ１７Ｇの張り出以外の部分と、前記青色フィルタ１７Ｂは、前記各画素２１Ｒ，２１Ｇ，２１Ｂの外形よりも小さい形状に形成されている。
【００７２】
この実施例によれば、前記液晶表示パネル１０ａ，１０ｂの透過部２２を透過した光のうちの前記赤色フィルタ１７Ｒの張り出しを透過した光が赤色に着色し、前記緑色フィルタ１７Ｇの張り出しを透過した光が緑色に着色するため、曇天時や霧のかかった環境下でクリアな視界が得られる、黄色系の偏光サングラスとして使用することができる。
【実施例６】
【００７３】
上記第５の実施例では、前記赤色フィルタ１７Ｒと緑色フィルタ１７Ｇを、その１つの縁部を前記透過部２２に張り出させた形状に形成しているが、この赤色フィルタ１７Ｒと緑色フィルタ１７Ｇは、その少なくとも一部が透過部２２に張り出した形状であれば、例えば図１２に示した第６の実施例のように、周縁部をその全周にわたって前記透過部２２に張り出させた形状に形成してもよい。
【００７４】
なお、上記第４及び第５の実施例において、前記赤色フィルタ１７Ｒと緑色フィルタ１７Ｇの張り出以外の部分と、前記青色フィルタ１７Ｂは、前記各画素２１Ｒ，２１Ｇ，２１Ｂの外形と実質的に同じ形状に形成してもよい。また、前記透過部２２に張り出させるカラーフィルタは、前記赤と緑の２色のフィルタ１７Ｒ，１７Ｇに限らず、赤と青の２色のフィルタ１７Ｒ，１７Ｂでも、緑と青の２色のフィルタ１７Ｇ，１７Ｂでもよい。
【実施例７】
【００７５】
図１３に示した第７の実施例は、上記第１の実施例の眼鏡型表示装置１において、第１と第２の液晶表示パネル１０ａ，１０ｂを、他方の面側の第１の基板１１の内面に各画素２１Ｒ，２１Ｇ，２１Ｂにそれぞれ対応させて設けられた各反射膜１５よりも前記他方の面側、例えば前記第１の基板１１の内面に、前記各画素２１Ｒ，２１Ｇ，２１Ｂにそれぞれ対応させて設けられた低反射膜１６をさらに備えた構成としたものであり、他の構成は第１の実施例と同じである。
【００７６】
この実施例によれば、前記第１と第２の液晶表示パネル１０ａ，１０ｂの各画素２１Ｒ，２１Ｇ，２１Ｂの前記反射膜１５よりも他方の面側に前記低反射膜１６を設けているため、眼鏡装着者の左右の眼の像が前記反射膜１５に映って見えるのを防ぐことができる。
【００７７】
なお、この第７の実施例において、前記第１と第２の液晶表示パネル１０ａ，１０ｂの各画素２１Ｒ，２１Ｇ，２１Ｂの配置は、図５〜図７のいずれの配置でもよく、また、赤、緑、青の各色のカラーフィルタ１７Ｒ，１７Ｇ，１７Ｂは、前記画素２１Ｒ，２１Ｇ，２１Ｂの外形と同じ形状に限らず、図８〜図１２のいずれの形状に形成してもよい。
【実施例８】
【００７８】
なお、上記各実施例の眼鏡型表示装置は、第１及び第２の表示パネルとして、単純マトリックス型の液晶表示パネル１０ａ，１０ｂを備えたものであるが、前記液晶表示パネルは、第１と第２の基板１１，１２の一方に表示パターンに対応した形状に形成された複数のセグメント電極を設け、他方の基板に前記各セグメント電極と対向する複数のコモン電極を設けたセグメント型液晶表示パネルでもよい。但し、このセグメント型液晶表示パネルを用いる場合は、前記セグメント電極をできるだけ多くの電極に細分割し、これらの電極にそれぞれ対応する各画素の間に充分な面積の透過部を確保するのが望ましい。
【００７９】
また、前記液晶表示パネルは、前記単純マトリックス型またはセグメント型に限らず、第１と第２の基板１１，１２の一方に画素形状に形成された複数の画素電極と、これらの画素電極にそれぞれ対応させて配置され、対応する画素電極に接続されたＴＦＴ（薄膜トランジスタ）と、各行のＴＦＴにゲート信号を供給する複数の走査線と、各列のＴＦＴにデータ信号を供給する複数の信号線とを設け、他方の基板に前記各画素電極と対向する一枚膜状の透明な対向電極を設けたアクティブイブマトリックス液晶表示パネルでもよく、その場合は、前記各画素電極を、眼鏡装着者側に向けられる他方の面側の基板に金属膜によって形成し、これらの画素電極に反射表示を行うための反射膜を兼ねさせてもよい。
【００８０】
さらに、前記液晶表示パネルは、ＴＮ型に限らず、液晶分子を１８０°〜２７０°の捩れ角でツイスト配向させたＳＴＮ型、液晶分子を基板面に対して実質的に垂直に配向させた垂直配向型、液晶分子の分子長軸を一方向に揃えて基板面と実質的に平行に配向させた非ツイストの水平配向型、液晶分子をベンド配向させるベンド配向型のいずれか、あるいは強誘電性または反強誘電性液晶表示素子でもよい。
【００８１】
また、前記液晶表示パネルは、第１と第２の基板にそれぞれ複数の画素を形成するための電極を設けたものに限らず、いずれか一方の基板に、複数の画素を形成するための第１の電極と、それよりも液晶層側または液晶層とは反対側に前記第１の電極と絶縁して形成された複数の細長電極部を有する第２の電極とを設け、これらの電極間に横電界（基板面に沿う方向の電界）を生じさせて液晶分子の配向状態を変化させる横電界制御型のアクティブイブマトリックス液晶表示パネルでもよい。
【００８２】
さらにまた、前記第１及び第２の表示パネルは、液晶表示パネルに限らず、画像を表示する一方の面側に、外部の光の表面反射を防ぐための反射防止手段として、透過光に対して１／４波長の位相差を与える光学フィルムと偏光膜とが重ねて配置されたエレクトロルミネッセンス（ＥＬ）表示パネル等の自発光型表示パネルでもよい。
【符号の説明】
【００８３】
１…眼鏡型表示装置、２…眼鏡フレーム、３ａ，３ｂ…リム、４…ブリッジ、５ａ，５ｂ…テンプル、１０ａ，１０ｂ…表示パネル（液晶表示パネル）、１１，１２…基板、１３…走査電極、１４…信号電極、１５…反射膜、１６…低反射膜、１７Ｒ，１７Ｇ，１７Ｂ…カラーフィルタ、２０…液晶層、２１Ｒ，２１Ｇ，２１Ｂ…画素、２２…透過部、２３…偏光膜、２４…駆動手段。
【図１】
2010217339.tif 000003
【図２】
2010217339.tif 000004
【図３】
2010217339.tif 000005
【図４】
2010217339.tif 000006
【図５】
2010217339.tif 000007
【図６】
2010217339.tif 000008
【図７】
2010217339.tif 000009
【図８】
2010217339.tif 000010
【図９】
2010217339.tif 000011
【図１０】
2010217339.tif 000012
【図１１】
2010217339.tif 000013
【図１２】
2010217339.tif 000014
【図１３】
2010217339.tif 000015